(57)【要約】【課題】  角底部の底面内に張り出し状の底接合片を設けてなる角底袋において、角底部の着座性を向上し、自立性を向上すること。【解決手段】  角底部２０が正面延長部２１と背面延長部２２と側面延長部２３、２４のうちの少なくとも２つの延長部の各下縁部の裏面端縁同士を接合されて外方に張り出る底接合片２５、２６を設けてなる角底袋１であって、底接合片２５、２６がその張り出し状外縁部３０に凹み状欠損部３１Ａを備えてなるもの。【選択図】  図１
2015117033.tif 000002
【特許請求の範囲】
【請求項１】
柔軟性及び可撓性を備える軟包材からなり、正面部と背面部と両側の側面部によって形成される角筒状をなし、両側の側面部のそれぞれが正面部と背面部との境界に設けられた２つの山折り部の中間に設けた谷折り部を内方に折込み可能にされるガセット部を備えた角胴部を有するとともに、
角胴部を形成する正面部と背面部の各下端部から延長させた正面延長部及び背面延長部と、角胴部を形成する各側面部の下端部から延長させた側面延長部により角胴部の下部を閉じる角底部を有し、
角底部が正面延長部と背面延長部と側面延長部のうちの少なくとも２つの延長部の各下縁部の裏面端縁同士を接合されて外方に張り出る底接合片を設けてなる角底袋であって、
底接合片がその張り出し状外縁部に複数の凹み状欠損部を備えてなる角底袋。
【請求項２】
柔軟性及び可撓性を備える軟包材からなり、正面部と背面部と両側の側面部によって形成される角筒状をなし、両側の側面部のそれぞれが正面部と背面部との境界に設けられた２つの山折り部の中間に設けた谷折り部を内方に折込み可能にされるガセット部を備えた角胴部を有するとともに、
角胴部を形成する正面部と背面部の各下端部から逆台形状に延長させた正面延長部及び背面延長部と、角胴部を形成する各側面部の下端部からＶ字舌片状に延長させた側面延長部により角胴部の下部を閉じる角底部を有し、
角底部が逆台形状の正面延長部と背面延長部の各下縁部の裏面端縁同士を接合されて外方に張り出る中央底接合片と、Ｖ字舌片状の側面延長部における両側縁部の裏面端縁のそれぞれと上記逆台形状の正面延長部と背面延長部における中央底接合片となった部分に続く各斜め側縁部の裏面端縁のそれぞれとを接合されて外方に張り出る両側底接合片とを設けてなる角底袋であって、
中央接合片がその張り出し状外縁部に複数の凹み状欠損部を備えてなる角底袋。
【請求項３】
前記両側底接合片がそれらの張り出し状外縁部に複数の凹み状欠損部を備えてなる請求項２に記載の角底袋。
【請求項４】
前記角胴部のガセット部が折り込まれ、正面部と正面延長部が背面部と背面延長部のそれぞれに重ね合わされた状態で、角底部を構成する両側底接合片が中央底接合片の外方への延長線に対してなす角度を２５度〜５０度の範囲内に定める請求項２又は３に記載の角底袋。
【請求項５】
前記軟包材として１枚のシートを用いてなり、シートの一端部に位置する背面部の裏面端縁と他端部に位置する側面部の裏面端縁とが接合された１つの柱接合部を備え、この柱接合部の下端が角底部の角に位置する請求項１〜４のいずれかに記載の角底袋。
【請求項６】
前記軟包材として１枚のシートを用いてなり、シートの両端部に双方に折半された背面部の裏面端縁同士が接合された１つの柱接合部を備え、この柱接合部が背面部に位置する請求項１〜４のいずれかに記載の角底袋。
【請求項７】
前記軟包材としてシートを用いてなり、角胴部を形成する正面部と背面部と両側の側面部の互いに隣接する裏面端縁同士が接合された４つの柱接合部を備える請求項１〜４のいずれかに記載の角底袋。
【請求項８】
請求項１〜７の何れかに記載の角底袋に、被包装物を入れ、封止された包装製品。
【発明の詳細な説明】
【技術分野】
【０００１】
本発明は、日用品、食品等の被包装物を包装するための角底袋に関する。
【背景技術】
【０００２】
従来、日用品、食品等を包装するための包装体として、特許文献１、２に記載のものがある。
【０００３】
特許文献１に記載の包装体は、原料フィルムにより形成される角胴部と角底部とを有し、角胴部にはフィルムからなる筒状側面部を内方に折込み可能にしたガセット部を備えるとともに、角胴部のフィルムを下方に延長させた筒状下部を閉じることによって角底部を形成することとしている。
【０００４】
このとき、特許文献１に記載の包装体では、角胴部と角底部との間で、かつ角底部の周囲に鋭い直角の角部を形成するための折り目を付与している。この折り目により、角底袋の保形性を高め、軽量品を包装した場合でも自立性を確保しようとするものである。
【０００５】
特許文献２に記載の包装体は、上下面にマチ部を有し、左右に封着部を有するガセットタイプの包装体であって、下面マチ部の平坦面で自立可能にしている。
【先行技術文献】
【特許文献】
【０００６】
【特許文献１】特開２００６-７５９８７号公報
【特許文献２】実開昭６３-１６９４６９号公報
【発明の概要】
【発明が解決しようとする課題】
【０００７】
従来、角胴部と角底部とを有する角底袋では、角胴部のフィルムを下方に延長させた筒状下部を閉じて角底部を形成するとき、筒状下部において相対するフィルムの各下縁部の裏面端縁同士を接合しており、これらのフィルムの接合部が角底部の底面内で底接合片となって外方に張り出る。
【０００８】
このような角底部の底面に張出状の底接合片を設けてなる角底袋にあっては、仮に角底部の周囲に明確な折り目を付与する特許文献１に記載の構造を採用したとしても、角底部の底面から張り出る腰の強い底接合片の底面外への突っ張りが該角底部底面の平坦度を大きく乱し、角底部の着座性を損ね、ひいては角底袋の自立性を損ねる。
【０００９】
尚、特許文献２に記載の包装体にあっては、左右の封着部が包装体の胴部を構成して相対するフィルムの各側縁部の裏面端縁同士を接合した接合片からなり、外方に張り出ている。そして、この左右の封着部となっている接合片の張り出し状外縁部の輪郭をギザギザ状にしている。しかしながら、この封着部のギザギザ状の外縁部は、意匠効果を向上させるカットであり、包装体の着座性、自立性に何ら全く関係していない。
【００１０】
本発明の課題は、角底部の底面内に張り出し状の底接合片を設けてなる角底袋において、角底部の着座性を向上し、自立性を向上することにある。
【００１１】
請求項１に係る発明は、柔軟性及び可撓性を備える軟包材からなり、正面部と背面部と両側の側面部によって形成される角筒状をなし、両側の側面部のそれぞれが正面部と背面部との境界に設けられた２つの山折り部の中間に設けた谷折り部を内方に折込み可能にされるガセット部を備えた角胴部を有するとともに、角胴部を形成する正面部と背面部の各下端部から延長させた正面延長部及び背面延長部と、角胴部を形成する各側面部の下端部から延長させた側面延長部により角胴部の下部を閉じる角底部を有し、角底部が正面延長部と背面延長部と側面延長部のうちの少なくとも２つの延長部の各下縁部の裏面端縁同士を接合されて外方に張り出る底接合片を設けてなる角底袋であって、底接合片がその張り出し状外縁部に複数の凹み状欠損部を備えてなるようにしたものである。
【００１２】
請求項２に係る発明は、柔軟性及び可撓性を備える軟包材からなり、正面部と背面部と両側の側面部によって形成される角筒状をなし、両側の側面部のそれぞれが正面部と背面部との境界に設けられた２つの山折り部の中間に設けた谷折り部を内方に折込み可能にされるガセット部を備えた角胴部を有するとともに、角胴部を形成する正面部と背面部の各下端部から逆台形状に延長させた正面延長部及び背面延長部と、角胴部を形成する各側面部の下端部からＶ字舌片状に延長させた側面延長部により角胴部の下部を閉じる角底部を有し、角底部が逆台形状の正面延長部と背面延長部の各下縁部の裏面端縁同士を接合されて外方に張り出る中央底接合片と、Ｖ字舌片状の側面延長部における両側縁部の裏面端縁のそれぞれと上記逆台形状の正面延長部と背面延長部における中央底接合片となった部分に続く各斜め側縁部の裏面端縁のそれぞれとを接合されて外方に張り出る両側底接合片とを設けてなる角底袋であって、中央接合片がその張り出し状外縁部に複数の凹み状欠損部を備えてなるようにしたものである。
【発明の効果】
【００１３】
角底部に底接合片を設けてなる角底袋において、底接合片がその張り出し状外縁部に凹み状欠損部を備えることにより、角底部の底面から張り出る底接合片の腰の強さを弱め、角底部の着座性を向上し、自立性を向上する。
【図面の簡単な説明】
【００１４】
【図１】図１は実施形態１の角底袋のガセット部を折り込んだ状態を示し、（Ａ）は底接合片の一例を示す斜視図、（Ｂ）は底接合片の他の例を示す斜視図である。
【図２】図２は角底袋を示し、（Ａ）は未封緘状態を示す斜視図、（Ｂ）は封緘状態を示す斜視図である。
【図３】図３は実施形態２の角底袋を示し、（Ａ）は未封緘状態を示す斜視図、（Ｂ）は封緘状態を示す斜視図である。
【図４】図４は実施形態３の角底袋を示し、（Ａ）は未封緘状態を示す斜視図、（Ｂ）は封緘状態を示す斜視図である。
【図５】図５は実施形態４の角底袋を示し、（Ａ）は未封緘状態を示す斜視図、（Ｂ）は封緘状態を示す斜視図である。
【図６】図６は底接合片の張り出し状外縁部が備える凹み状欠損部の例を示す模式図である。
【発明を実施するための形態】
【００１５】
以下本発明を、その好ましい実施形態に基づき図面を参照しながら説明する。
【００１６】
（実施形態１）（図１、図２、図６）
図１は使用前の角底袋１を示し、図２は被包装物を充填するために開いた角底袋１を示している。角底袋１は、角胴部１０と角底部２０とを有し、柔軟性及び可撓性を備える軟包材から構成される。
【００１７】
柔軟性及び可撓性を備える軟包材としては、特に制限はないが、合成樹脂製のシート、薄紙と合成樹脂とのラミネートシート、合成樹脂同士を積層させたラミネートシート等が挙げられ、特に合成樹脂製のラミネートシートが好ましい。
【００１８】
例えば、角底袋１のシート表面（袋外面側）には、コートボール紙、クラフト紙等の板紙、又はポリエチレンテレフタレート、ポリプロピレン、ポリエチレンなどポリオレフィン樹脂、又はポリエチレンを主体とするポリエチレンテレフタレート樹脂とのブレンド樹脂など熱溶融接着性のポリオレフィン樹脂等が使用可能である。
【００１９】
一方、角底袋１のシート裏面（袋内面側）には、ポリエチレン、ポリプロピレン、ポリエチレンを主体とするブレンド樹脂など熱溶融接着性のポリオレフィン樹脂層（シーラント層）が積層形成されている。
【００２０】
また、本発明角底袋の最外層と最内層の間の中間層には、必要に応じてアルミニウム箔層（ガスバリア層）、アルミニウム箔層（ガスバリア層）／ポリエチレンテレフタレート樹脂層、アルミニウム蒸着層（ガスバリア層）／ポリエチレンテレフタレート樹脂層、酸化珪素や酸化マグネシウムなど無機酸化物蒸着層（ガスバリア層）／ポリエチレンテレフタレート樹脂層などのガスバリア性層が積層形成されている。
【００２１】
角胴部１０は、正面部１１と背面部１２と両側の側面部１３、１４によって形成され、１枚の平板状シート（チューブ状シートでも可）の一端部に位置する背面部１２の裏面端縁と他端部に位置する側面部１４の裏面端縁とがそれらのヒートシール層の熱融着によって接合された１つの柱接合部１５を備える。
【００２２】
尚、本実施形態では、製品陳列時に主として使用者に向く面を正面部１１とし、その反対面を背面部１２という。但し、本発明において、「正面部」と「背面部」は便宜的に記載したものであり、本実施形態における背面部１２を「正面部」と言い換え、正面部１１を「背面部」と言い換えても良い。
【００２３】
角胴部１０は、両側の側面部１３、１４のそれぞれが正面部１１と背面部１２との境界に位置して縦方向（角底袋１が自立する鉛直方向）に沿って設けられる２つの山折り部１６Ａ、１６Ａと、両側の側面部１３、１４の内部でそれらの山折り部１６Ａ、１６Ａに挟まれる横方向（角底袋１が着座するテーブル面等の水平面に沿う方向）の中間に位置し、かつ縦方向に沿って設けられる１つの谷折り部１６Ｂとを有する。そして、両側の側面部１３、１４に設けた谷折り部１６Ｂを角底袋１の内方に折込み可能にされるガセット部１６を備える。尚、本実施形態において、谷折り部１６Ｂは両側の側面部１３、１４の内部でそれらの山折り部１６Ａ、１６Ａに挟まれる横方向の中間の真ん中に位置するが、谷折り部１６Ｂは当該中間の必ずしも真ん中に位置することを要しない。
【００２４】
角底部２０は、角胴部１０を形成する正面部１１と背面部１２の各下端部から下方に向けて凸をなす逆台形状に延長させた正面延長部２１及び背面延長部２２と、角胴部１０を形成する各側面部１３、１４の下端部から下方に向けて凸をなすＶ字舌片状に延長させた側面延長部２３、２４により、角胴部１０の下部を閉じる。
【００２５】
ここで、角底部２０には、図１、図２に示す如く、角胴部１０の下部を閉じるための中央底接合片２５と両側底接合片２６が設けられる。
【００２６】
中央底接合片２５は、逆台形状の正面延長部２１と背面延長部２２の各下縁部の裏面端縁同士をそれらのヒートシール層の熱融着によって接合されて設けられ、角底袋１の外方に張り出る。
【００２７】
両側底接合片２６は、Ｖ字舌片状の各側面延長部２３、２４における両側縁部の裏面端縁のそれぞれと、上記逆台形状の正面延長部２１と背面延長部２２における中央底接合片２５となった部分に続く各斜め側縁部の裏面端縁のそれぞれとをそれらのヒートシール層の熱融着によって接合されて設けられ、角底袋１の外方に張り出る。
【００２８】
しかるに、角底袋１にあっては、角底部２０に設けた中央底接合片２５と両側底接合片２６のそれぞれが、図６に示す如く、それらの張り出し状外縁部３０の輪郭３１に複数の凹み状欠損部３１Ａを備える。本実施形態では、張り出し状外縁部３０の輪郭３１を三角の山型が連続する凹凸状とし、隣り合う山型の裾野に挟まれる谷を凹み状欠損部３１Ａとする。
【００２９】
尚、中央底接合片２５と両側底接合片２６は、図１に示したように、張り出し状外縁部３０の凹凸状の輪郭３１を形成している三角の山形部分だけに前述の熱融着接合部を形成するものでなく、該輪郭３１より角胴部１０の側に幅方向に連続する熱融着接合部を形成している。
【００３０】
以下、角底袋１の製造方法の一例について説明する。
(1)長尺の平板状シートを、一端部の裏面端縁と他端部の裏面端縁とが熱融着されてなる筒状とする（熱融着部が柱接合部１５となる）。この筒状のシートを、柱接合部１５が位置する面を背面部１２とし、背面部１２の反対面を正面部１１とし、両側の側面部１３、１４となる部分をガセット部１６とするように折り畳む。
【００３１】
(2)上述(1)の筒状のシートにおいて、角胴部１０となる部分の下部を閉じて角底部２０を形成するための中央底接合片２５と両側底接合片２６を熱融着する。
【００３２】
(3)上述(2)の中央底接合片２５と両側底接合片２６の張り出し状外縁部３０に凹み状欠損部３１Ａを形成するように、当該凹み状欠損部３１Ａに該当する箇所を切断し、各１個の角底袋１を切り離す。切断装置としては、ロールカッター（凹み状欠損部３１Ａの形状に形成された刃を有するロールと、刃のないロールとが一対をなして相対するもの）、レーザーカッター等が挙げられる。
【００３３】
尚、上述(1)の筒状のシートを、１個の角底袋１の長さに切り離した後、上述(2)、(3)を行なっても良い。
【００３４】
以上により、被包装物を投入するため角底袋１の内部を広げると、角胴部１０の両側の側面部１３、１４がガセット部１６の外方への膨らみによって平面状に展開され、角胴部１０が正面部１１と背面部１２と両側の側面部１３、１４により画定される四角筒状をなす。そして、この角胴部１０の四角筒状化された正面部１１と背面部１２と両側の側面部１３、１４の下端部に連続している角底部２０の底面の四周も外方へ膨らんで四角状に近づき、角底部２０の底面が平坦状になる（図２）。
【００３５】
このとき、角底袋１にあっては、角底部２０に設けられている中央底接合片２５及び両側底接合片２６の張り出し状外縁部３０がその輪郭３１に備える凹み状欠損部３１Ａの存在により、角底部２０の底面から張り出るそれらの底接合片２５、２６の腰の強さを弱め、この角底部２０を棚（店頭の棚や、家の収納棚等）やテーブル面等に着座させたとき、それらの底接合片２５、２６の張り出し部分が容易に屈曲して突っ張ることなく、換言すれば角底部２０の底面の平坦度が乱されることなく、角底部２０の着座性を向上し、ひいては角底袋１の自立性を向上できる。軽量品を包装した場合でも自立性を確保でき、角胴部１０を含む全体の形を保ち、転倒防止ができ、流通段階での輸送性や店頭での陳列性を向上できる。
【００３６】
また、使用前の角底袋１にあっては、図１（Ａ）に示す如く、角胴部１０のガセット部１６が角底袋１の内方に折り込まれ、正面部１１と正面延長部２１が背面部１２と背面延長部２２のそれぞれに重ね合わされた状態で、角底部２０を構成する両側底接合片２６が中央底接合片２５の外方への延長線に対してなす角度αを２５度〜５０度の範囲内が好ましく、更に好適には４５度とする。即ち、角底部２０における両側底接合片２６が中央底接合片２５に対してなす角度が２５度〜５０度の範囲内にあれば、前述の内容物の投入に起因する角底部２０の底面の平坦状化が顕著になり、角底部２０の着座性、角底袋１の自立性を確保できる。
【００３７】
また、角底袋１にあっては、角胴部１０を構成する平板状シートの一端部に位置する背面部１２の裏面端縁と他端部に位置する側面部１４の裏面端縁とが接合された１つの柱接合部１５を備える。この図１、図２の形態では、柱接合部１５の位置が角底部２０の角部にあり、角底部２０に柱接合部１５から延長する接合部はないものになる。角胴部１０が備える１つの柱接合部１５により角胴部１０の起立性を安定化し、角底袋１の自立性を向上する。更に、この図１、２の形態では、柱接合部１５の位置が角底部２０の角部にあること（角底部２０にはないこと）によって、一層、角底部２０の底面の平坦度を維持し、角底袋１の自立性を向上する。
【００３８】
尚、角底袋１において、中央底接合片２５と両側底接合片２６における張り出し状外縁部３０の輪郭３１の形態としては、図６（Ａ）〜（Ｇ）を採用できる。
【００３９】
図６（Ａ）〜（Ｅ）は、張り出し状外縁部３０の基部〜先端部の全部が熱融着によって接合されたものである。そして、図６（Ａ）に示した張り出し状外縁部３０の輪郭３１は、上述した三角の山型が連続する凹凸状であり、隣り合う山型の裾野に挟まれる部分を凹み状欠損部３１Ａとするものである。凹み状欠損部３１Ａの形状は、三角の山型が張り出し状外縁部３０の基部に向けた形状である。図６（Ｂ）に示した張り出し状外縁部３０の輪郭３１は、台形の山型が連続する凹凸状であり、また、三角の頂部を裁断して除去した山型が連続する凹凸状であり、隣り合う山型の裾野に挟まれる部分を凹み状欠損部３１Ａとするものである。凹み状欠損部３１Ａの形状は、三角の山型が張り出し状外縁部３０の基部に向けた形状である。図６（Ｃ）に示した張り出し状外縁部３０の輪郭３１は、外に向かって凸面をなす円弧状の山型が連続する凹凸状であり、隣り合う山型の裾野に挟まれる部分を凹み状欠損部３１Ａとするものである。凹み状欠損部３１Ａの形状は、張り出し状外縁部３０の基部に向かって凹面をなす円弧状の山型が張り出し状外縁部３０の基部に向けた形状である。図６（Ｄ）に示した張り出し状外縁部３０の輪郭３１は、外に向かって凹面をなす円弧状の山型が連続する凹凸状であり、隣り合う山型の裾野に挟まれる部分を凹み状欠損部３１Ａとするものである。凹み状欠損部３１Ａの形状は、張り出し状外縁部３０の基部に向かって凸面をなす円弧状の山型が張り出し状外縁部３０の基部に向けた形状である。図６（Ｅ）に示した張り出し状外縁部３０の輪郭３１は、外に向かって凸面をなす円弧状の山型と外に向かって凹面をなす円弧状の谷型とが連続する凹凸状であり、隣り合う山型の谷間を凹み状欠損部３１Ａとするものである。凹み状欠損部３１Ａの形状は、張り出し状外縁部３０の基部に向かって凸面をなす円弧状の山型が張り出し状外縁部３０の基部に向けた形状である。
【００４０】
図６（Ｆ）、（Ｇ）は張り出し状外縁部３０の基部を含む一部の接合部Ａだけが熱融着によって接合され、張り出し状外縁部３０の先端部を非接合部Ｂとするものである。図６（Ｆ）は、張り出し状外縁部３０の輪郭３１を図６（Ａ）と同様の三角の山型が連続する凹凸状としたものであるが、張り出し状外縁部３０の基部と山型の輪郭３１の下半部だけを熱融着によって接合した接合部Ａとするものである。図６（Ｇ）は、張り出し状外縁部３０の輪郭３１を図６（Ａ）と同様の三角の山型が連続する凹凸状としたものであるが、張り出し状外縁部３０の基部だけを熱融着によって接合した接合部Ａとするものである。
【００４１】
また、角底袋１にあっては、中央底接合片２５と両側底接合片２６における張り出し状外縁部３０の輪郭３１として、図６（Ａ）〜（Ｇ）の各種山型を順に並べる如くにそれらの山型を混在させることもできる。
【００４２】
また、角底袋１にあっては、中央底接合片２５の張り出し状外縁部３０にだけ凹み状欠損部３１Ａを設け、両側底接合片２６の張り出し状外縁部３０には凹み状欠損部３１Ａを設けないものとすることもできる。
【００４３】
また、角底袋１にあっては、図１（Ｂ）に示す如く、中央底接合片２５では張り出し状外縁部３０の輪郭３１の全域に凹み状欠損部３１Ａを設け、両側底接合片２６では張り出し状外縁部３０の輪郭３１の一部の範囲にだけ部分的に凹み状欠損部３１Ａを設けるものとすることもできる。詳細には、図１（Ｂ）においては、両側底接合片２６の中央底接合片２５に隣接する張り出し状外縁部３０に凹み状欠損部３１Ａを設け、角胴部１０に隣接する両側底接合片２６の張り出し状外縁部３０には凹み状欠損部３１Ａを設けていない。このように、角胴部１０に隣接する両側底接合片２６の張り出し状外縁部３０に、凹み状欠損部３１Ａを設けない場合には、容積が大きな被包装物を充填した際に角底部２０の強度維持に貢献することができ、特に背面部１２と側面部１４とが接合して形成した柱接合部１５がある場合に有効である。
【００４４】
また、角底袋１にあっては、好適には、下記ｉ〜ｖを採用できる。
i.  角底袋１を構成するシートの厚みは１０μm〜１００μmとする。
【００４５】
ii.  角底部２０の長辺の長さ（角胴部１０の正面部１１、背面部１２の横方向長さ）を、角胴部１０の縦方向長さの０．５〜２．５倍とする。
【００４６】
iii.  角底部２０の長辺の長さ（角胴部１０の正面部１１、背面部１２の横方向長さ）を、角底部２０の短辺の長さ（側面部１３、１４の横方向長さ）の１〜３倍とする。
【００４７】
iv.  中央底接合片２５の矩形状の張り出し状外縁部３０から切欠く凹み状欠損部３１Ａの切欠面積を、凹み状欠損部３１Ａが切欠き形成されなかったとする矩形状外縁部３０の全面積の３０〜７０％とし、更に好適には、４０〜６０％とする。
【００４８】
v.  両側底接合片２６の矩形状の張り出し状外縁部３０から切欠く凹み状欠損部３１Ａの切欠面積を、凹み状欠損部３１Ａが切欠き形成されなかったとする矩形状外縁部３０の全面積の２０〜７０％、更に好適には、３０〜６０％とする。
【００４９】
（実施形態２）（図３）
実施形態２の角底袋１が実施形態１におけると異なる点は、角胴部１０を構成する平板状シートの両端部の双方に折半された背面部１２Ａ、１２Ｂの裏面端縁同士が接合された１つの柱接合部（背貼り部）１７を備える。柱接合部１７は、背面部１２の幅方向中間に形成されているとともに、角底部２０にも延長して形成される。図３の角底袋１によれば、角胴部１０が備える１つの柱接合部１７により角胴部１０の起立性を安定化し、角底袋１の自立性を向上する。また、柱接合部１７を背面部１２の幅方向中間に形成した角胴部１０とすることにより、図１の角底袋１に比して簡易に製造することができる。
【００５０】
（実施形態３）（図４）
実施形態３の角底袋１が実施形態１におけると異なる点は、角胴部１０を形成する正面部１１と背面部１２と両側の側面部１３、１４の互いに隣接する裏面端縁同士が接合された４つの柱接合部１８Ａ〜１８Ｄを備える。即ち、角胴部１０が備える４つの柱接合部１８Ａ〜１８Ｄにより角胴部１０の起立性を安定化し、角底袋１の自立性を一層向上する。
【００５１】
（実施形態４）（図５）
実施形態４の角底袋１は、実施形態３の角底袋１に、実施形態２の角底袋１における柱接合部（背貼り部）１７を加えたことにある。
【００５２】
角底袋１は、角胴部１０の上端開口から被包装物を入れ、その上端開口を封止されて包装製品となる。被包装物としては、化粧品、清掃用シート、薬品等の日用品、菓子、海苔等の食品が挙げられる。
【００５３】
以上、本発明をその好ましい実施形態を示して説明したが、本発明は、上記の実施形態に制限されることなく種々変更可能である。上述した一の実施形態における説明省略部分及び一の実施形態のみが有する要件は、それぞれ他の実施形態に適宜適用することができ、また、各実施形態における要件は、適宜、実施形態間で相互に置換可能である。
【００５４】
例えば、柱接合部が接している又は形成されている面を便宜的に背面としたが、こちらを正面としても良い。
【産業上の利用可能性】
【００５５】
本発明によれば、角底部の底面内に張り出し状の底接合片を設けてなる角底袋において、角底部の着座性を向上し、自立性を向上することができる。
【符号の説明】
【００５６】
１  角底袋
１０  角胴部
１１  正面部
１２、１２Ａ、１２Ｂ  背面部
１３、１４  側面部
１５、１７、１８Ａ〜１８Ｄ  柱接合部
１６  ガセット部
１６Ａ  山折り部
１６Ｂ  谷折り部
２０  角底部
２１  正面延長部
２２  背面延長部
２３、２４  側面延長部
２５  中央底接合片
２６  両側底接合片
３０  張り出し状外縁部
３１  輪郭
３１Ａ  凹み状欠損部
【図１】
2015117033.tif 000003
【図２】
2015117033.tif 000004
【図３】
2015117033.tif 000005
【図４】
2015117033.tif 000006
【図５】
2015117033.tif 000007
【図６】
2015117033.tif 000008